(57)【要約】【課題】ミラーキャリッジ等の読取光学系を構成するキャリッジの組み付けを容易にする。【解決手段】デジタル複合機１０は、プラテンガラス１２に載置された原稿に描かれた画像を読み取るフラットベッド方式の画像読取装置として機能する。デジタル複合機１０は、原稿を走査する読取光学系１３を構成し、プラテンガラス１２に沿って搬送されるフルレートキャリッジ１３１及びハーフレートキャリッジ１３２と、フルレートキャリッジ１３１及びハーフレートキャリッジ１３２が走行するガイドレール１５１とを備えている。突起１１８及び１１９は、位置ＰＦにあるフルレートキャリッジ１３１と当接しフルレートキャリッジ１３１の位置決めに用いられる。また、突起１５８及び１５９は、位置ＰＨにあるハーフレートキャリッジと当接し、ハーフレートキャリッジ１３２の位置決めに用いられる。【選択図】図５
2007212810.tif 000002
【特許請求の範囲】
【請求項１】
プラテンガラスに載置された原稿に描かれた画像を読み取るフラットベッド方式の読取部を備えた画像読取装置であって、
前記読取部は、
前記原稿を走査する読取光学系を構成し、前記プラテンガラスに沿って搬送されるキャリッジと、
前記キャリッジが走行するレールと、
を備え、
前記レール上の所定位置には、前記キャリッジを位置決めする当接部が設けられていることを特徴とする画像読取装置。
【請求項２】
前記当接部は、前記レールから突出した突起であることを特徴とする請求項１に記載の画像読取装置。
【請求項３】
前記当接部は、前記画像読取装置のシャーシの側壁から突出した突起であることを特徴とする請求項１に記載の画像読取装置。
【請求項４】
前記キャリッジは、画像の読み取り時の走行範囲を超えて前記画像読取装置のシャーシの側壁へ向かう途上で前記当接部と当接することを特徴とする請求項１に記載の画像読取装置。
【請求項５】
前記読取部は、前記キャリッジを複数備え、複数の前記キャリッジの各々に対して前記当接部が複数設けられていることを特徴とする請求項１ないし請求項４のいずれかに記載の画像読取装置。
【発明の詳細な説明】
【技術分野】
【０００１】
本発明は、フラットベッド方式の画像読取装置に関する。
【背景技術】
【０００２】
従来、スキャナ機能、プリンタ機能、コピー機能及びファックス機能を有するデジタル複合機等に組み込まれたフラットベッド方式の画像読取部では、原稿からの光を反射してスキャナユニットへ導くミラーキャリッジは、治具を用いて正確な位置に固定されていた。
【０００３】
なお、特許文献１は、光源の位置決めをするための突起をミラーキャリッジに設けた画像読取装置に関する先行技術文献である。
【０００４】
【特許文献１】特開平１１−３３１５０７号公報
【発明の開示】
【発明が解決しようとする課題】
【０００５】
しかし、従来の画像読取装置では、ミラーキャリッジを固定する位置の目安となるものがないため、ミラーキャリッジの組み付け作業が煩雑であった。
【０００６】
本発明は、この問題を解決するためになされたもので、画像読取装置において、ミラーキャリッジ等の読取光学系を構成するキャリッジの組み付けを容易にすることを目的とする。
【課題を解決するための手段】
【０００７】
上記課題を解決するため、請求項１の発明は、プラテンガラスに載置された原稿に描かれた画像を読み取るフラットベッド方式の読取部を備えた画像読取装置であって、前記読取部は、前記原稿を走査する読取光学系を構成し、前記プラテンガラスに沿って搬送されるキャリッジと、前記キャリッジが走行するレールとを備え、前記レール上の所定位置には、前記キャリッジを位置決めする当接部が設けられている。
【０００８】
請求項２の発明は、前記当接部は、前記レールから突出した突起であることを特徴とする請求項１に記載の画像読取装置である。
【０００９】
請求項３の発明は、前記当接部は、前記画像読取装置のシャーシの側壁から突出した突起であることを特徴とする請求項１に記載の画像読取装置である。
【００１０】
請求項４の発明は、前記キャリッジは、画像の読み取り時の走行範囲を超えて前記画像読取装置のシャーシの側壁へ向かう途上で前記当接部と当接することを特徴とする請求項１に記載の画像読取装置である。
【００１１】
請求項５の発明は、前記読取部は、前記キャリッジを複数備え、複数の前記キャリッジの各々に対して前記当接部が複数設けられていることを特徴とする請求項１ないし請求項４のいずれかに記載の画像読取装置である。
【発明の効果】
【００１２】
請求項１ないし請求項５の発明によれば、キャリッジの位置決めを当接部により行うことができるので、キャリッジの組み付けが容易になる。
【００１３】
請求項４の発明によれば、キャリッジがオーバーランした場合に、キャリッジがシャーシへ衝突することを防止し、画像読取装置の破損を防止することができる。
【発明を実施するための最良の形態】
【００１４】
＜１  デジタル複合機の外観構成＞
図１は、本発明の望ましい実施形態に係るデジタル複合機（ＭＦＰ；Multi Function Peripherals）１の上部の概略外観構成を示す斜視図である。図１には、便宜上、左右方向をＸ軸方向、前後方向をＹ軸方向、上下方向をＺ軸方向とするＸＹＺ直交座標系が定義されている。この点は、以下で説明する図２〜図５においても同様である。
【００１５】
デジタル複合機１は、スキャナ機能、プリンタ機能、コピー機能及びファックス機能を有し、原稿に描かれた画像を読み取る画像読取装置として機能する。デジタル複合機１の上部には、図１に示す画像読取部１０及び操作パネル２０が設けられており、デジタル複合機１の下部には、不図示の画像形成部が設けられている。
【００１６】
画像読取部１０は、プラテンガラス１２に載置された原稿に描かれた画像を読み取り、当該画像に係る画像データを生成するフラットベッド方式の画像読取部として機能する。加えて、画像読取部１０は、不図示の原稿押さえカバーに組み込まれた自動原稿送り装置によってプラテンガラス１９へ給送された原稿に描かれた画像を読み取り、当該画像に係る画像データを生成するオートドキュメントフィード方式の画像読取部としても機能する。
【００１７】
操作パネル２０は、デジタル複合機１の操作の他、デジタル複合機１の動作状態や設定の確認に用いられる。
【００１８】
画像読取部１０の下方に設けられる不図示の画像形成部は、電子写真方式により、画像データに係る画像を記録紙等の記録媒体の上に形成する。より具体的には、画像形成部は、感光ドラムの表面に形成した静電潜像をトナーで現像し、感光ドラムから記録媒体の上にトナーを転写することにより、画像データに係る画像を記録媒体の上に形成する。
【００１９】
＜２  画像読取部の内部構成＞
続いて、図２を参照しつつ、画像読取部１０の概略内部構成について説明する。図２は、プラテンガラス１２及び１９並びにシャーシ１１にネジで固定された樹脂製のトップカバー１４を取り外した状態の画像読取部１０を示す斜視図となっている。
【００２０】
画像読取部１０は、骨格となるシャーシ１１と、シャーシ１１を補強する板金フレーム１５と、プラテンガラス１２に載置された原稿を走査する読取光学系１３とを備えている。
【００２１】
シャーシ１１は、画像読取装置１の外装を兼ねる外装一体型の樹脂シャーシであり、単一の樹脂部材で構成される。
【００２２】
シャーシ１１には、±Ｙ方向に離隔した前隔壁１１１及び後隔壁１１３が、ＸＹ平面と平行な底面１１２に垂直に形成されている。矩形のプラテンガラス１２は、その対向する２辺の縁辺部において、±Ｘ方向に伸びる前隔壁１１１及び後隔壁１１３の上端に支持され、前隔壁１１１及び後隔壁１１３の間に架設されている。
【００２３】
図３の斜視図に示すように、シャーシ１１の底面１１２には、板金フレーム１５の組み入れ先となる組入穴１１２１及び１１２２が形成されるとともに、板金フレーム１５のスキャナユニット取付部１１５１（図４参照）を露出させる露出穴１１２３が形成されている。
【００２４】
また、シャーシ１１の＋Ｘ方向の側壁１１６の内面側には、突起１１８及び１１９が内側に突出して設けられている。突起１１８及び１１９は、それぞれ、組入穴１１２１及び１１２２の上方に形成されている。
【００２５】
板金フレーム１５は、図４の斜視図に示すように、離隔した長尺部材対であるガイドレール１５１及び１５３に架橋部材１５５及び１５６を溶接することにより、梯子形状に骨組みされている。板金フレーム１５は、ガイドレール１５１及び１５３を、それぞれ、シャーシ１１の組入穴１１２１及び１１２２に挿着することにより、シャーシ１１に組み入れられている。
【００２６】
ガイドレール１５１及び１５３の上面（以下、「レール面」）１５１Ｒ及び１５３Ｒには、突起１５８及び１５８が上方に突出して設けられている。突起１５８及び１５９は、それぞれ、平板状態の板金のレール面１５１Ｒ及び１５３Ｒにコの字型の切り込みをいれ、切り込みに囲まれた部分以外を垂直に曲成することにより形成される。
【００２７】
前隔壁１１１及び後隔壁１１３の間の空間には、プラテンガラス１２に載置された原稿に描かれた画像を読み取る読取光学系１３が組み込まれている。読取光学系１３は、フルレートキャリッジ１３１、ハーフレートキャリッジ１３２及びスキャナユニット１３３を備えている。
【００２８】
±Ｙ方向に伸びる棒状の光源１３１１及びミラー１３１２を一体化したミラーキャリッジであるフルレートキャリッジ１３１は、レール面１５１Ｒ及び１５３Ｒに摺動可能に担持されており、レール面１５１Ｒ及び１５３Ｒの上を±Ｘ方向に走行可能となっている。フルレートキャリッジ１３１は、プラテンガラス１２に載置された原稿に光源１３１１の光を照射するとともに、当該原稿からの光をミラー１３１２で反射してハーフレートキャリッジ１３２へ導く。
【００２９】
±Ｙ方向に伸びる棒状のミラー１３２１及び１３２２を一体化したミラーキャリッジであるハーフレートキャリッジ１３２は、レール面１５１Ｒ及び１５３Ｒに摺動可能に担持されており、レール面１５１Ｒ及び１５３Ｒの上を±Ｘ方向に走行可能となっている。ハーフレートキャリッジ１３２は、フルレートキャリッジ１３１からの光をミラー１３２１及び１３２２で反射してスキャナユニット１３３へ導く。
【００３０】
スキャナユニット１３３は、板金フレーム１５のスキャナユニット取付部１１５１に固設されており、ハーフレートキャリッジ１３２からの光を受光して画像に係る画像信号を生成する。
【００３１】
フルレートキャリッジ１３１は、±Ｙ方向に離隔した両端部で環状ゴム製の搬送用ベルト１６１及び１６３に固定され、搬送用ベルト１６１及び１６３の周動に連動して±Ｘ方向に搬送される。同様に、ハーフレートキャリッジ１３２は、±Ｙ方向に離隔した両端部で環状ゴム製の搬送用ベルト１７１及び１７３に固定され、搬送用ベルト１７１及び１７３の周動に連動して±Ｘ方向に搬送される。読取光学系１３では、フルレートキャリッジ１３１をプラテンガラス１２に沿って所定の速度で搬送しつつ、ハーフレートキャリッジ１３２をプラテンガラス１２に沿ってフルレートキャリッジ１３１の半分の速度でフルレートキャリッジ１３１に同期させて搬送することにより、光路長を一定に維持したまま、プラテンガラス１２に載置された原稿を±Ｘ方向に走査し、当該原稿に描かれた画像を読み取る。
【００３２】
ここで、搬送用ベルト１６１は、±Ｘ方向に離隔して設けられた駆動プーリ１９１１及び従動プーリ１９１２に巻架され、ガイドレール１５１に沿って設けられている。同様に、搬送用ベルト１７１は、±Ｘ方向に離隔して設けられた駆動プーリ１９１３及び従動プーリ１９１４に巻架され、ガイドレール１５１に沿って設けられている。
【００３３】
また、搬送用ベルト１６３は、±Ｘ方向に離隔して設けられた駆動プーリ１９３１及び従動プーリ１９３２に巻架され、ガイドレール１５３に沿って設けられている。同様に、搬送用ベルト１７３は、±Ｘ方向に離隔して設けられた駆動プーリ１９３３及び従動プーリ１９３４に巻架され、ガイドレール１５３に沿って設けられている。
【００３４】
駆動プーリ１９１１，１９１３，１９３１及び１９３３は、±Ｙ方向に伸びるシャフト１７で軸架されており、不図示のモータにより、シャフト１７を中心として同軸回転させられる。シャフト１７は、ガイドレール１５１及び１５３の側面に形成されたシャフト受け穴１５１１及び１５３１に回転可能に保持されている。ここで、ハーフレートキャリッジ１３２を搬送する搬送用ベルト１７１及び１７３が巻架される駆動プーリ１９１３及び１９３３のプーリ径は、フルレートキャリッジ１３１を搬送する搬送用ベルト１６１及び１６３が巻架される駆動プーリ１９１１及び１９３１のプーリ径の半分となっている。これにより、画像読取部１０では、ハーフレートキャリッジ１３２をフルレートキャリッジ１３１の半分の速度で搬送することができるようになっている。
【００３５】
従動プーリ１９１２及び１９１４は、板金フレーム１５に保持された不図示の支持ブラケットに回転自在に軸支されている。同様に、従動プーリ１９３２及び１９３４は、板金フレーム１５に保持された不図示の支持ブラケットに回転自在に軸支されている。
【００３６】
＜３  突起の役割＞
続いて、突起１５８，１５９，１１８及び１１９の役割について説明する。
【００３７】
突起１５８及び１５９は、レール面１５１Ｒ及び１５３Ｒの上を走行するフルレートキャリッジ１３１とは干渉せず、レール面１５１Ｒ及び１５３Ｒの上を走行するハーフレートキャリッジ１３２とは干渉するように形成されている。すなわち、図５の斜視図に示すように、フルレートキャリッジ１３１は、突起１５８及び１５９の上を通過することができるが、ハーフレートキャリッジ１３２は、突起１５８及び１５９の上を通過することはできず、位置ＰＨにあるときに、突起１５８及び１５９と当接した状態となる。
【００３８】
一方、突起突起１１８及び１１９は、レール面１５１及び１５３の上を走行するフルレートキャリッジ１３１と干渉するように形成されている。すなわち、フルレートキャリッジ１３１は、突起１１８及び１１９を通過することはできず、位置ＰＦにあるときに、突起１１８及び１１９と当接した状態となる。
【００３９】
そして、この画像読取部１０の組み立てにおいて、フルレートキャリッジ１３１及びハーフレートキャリッジ１３２を組み付ける場合、各突起はフルレートキャリッジ１３１及びハーフレートキャリッジ１３２が原稿を走査する際に最適な光路長となるように位置決め可能な位置に形成されている。よって、作業者は、フルレートキャリッジ１３１を突起１１８及び１１９に当接させることにより、フルレートキャリッジ１３１の位置決めを行い、ハーフレートキャリッジ１３２を突起１５８及び１５９に当接させることにより、ハーフレートキャリッジ１３２の位置決めを行う。これにより、フルレートキャリッジ１３１及びハーフレートキャリッジ１３２を組み付ける場合に、位置決め用の治具を使用する必要がなくなり、組み付けを容易に行うことができるようになる。
【００４０】
なお、突起１５８及び１５９は、原稿の読み取り時のハーフレートキャリッジ１３２の走行範囲ＲＨの外側に設けられているので、画像の読み取りの妨げとはならない。そして、ハーフレートキャリッジ１３２は、走行範囲ＲＨを超えて側壁１１６へ向かう途上で突起１５８及び１５９と当接するので、画像読取部１０では、ハーフレートキャリッジ１３２が走行範囲ＲＨを超えてオーバーランした場合でも、ハーフレートキャリッジ１３２が側壁１１６に衝突して画像読取部１０の破損を引き起こすことが有効に防止されている。
【００４１】
同様に、突起１１８及び１１９は、原稿の読み取り時のフルレートキャリッジ１３１の走行範囲ＲＦの外側に設けられているので、画像の読み取りの妨げとはならない。そして、フルレートキャリッジ１３１は、走行範囲ＲＦを超えて側壁１１６へ向かう途上で突起１１８及び１１９と当接するので、画像読取部１０では、フルレートキャリッジ１３１が走行範囲ＲＦを超えてオーバーランした場合でも、ハーフレートキャリッジ１３１が側壁１１６に衝突して画像読取部１０の破損を引き起こすことが有効に防止されている。
【００４２】
＜４  変形例＞
上述の説明では、読取光学系１３において、原稿からの光を反射してスキャナユニット１３３へ導くミラーキャリッジ１３１及び１３２を採用した場合について説明したが、スキャナユニットを含むキャリッジがレール面を走行可能に構成され、当該キャリッジが搬送用ベルトによって搬送される場合にも本発明は適用可能である。
【００４３】
また、上述の説明では、画像読取装置の一例としてデジタル複合機をあげて本発明の望ましい実施形態について説明したが、本発明の適用対象はデジタル複合機に制限されない。例えば、本発明は、フラットベッド方式の画像読取部を含むスキャナ、コピー機及びファクシミリ等にも適用可能である。
【図面の簡単な説明】
【００４４】
【図１】本発明の望ましい実施形態に係るデジタル複合機１の上部の外観構成を示す模式図である。
【図２】画像読取部１０の内部構成を示す斜視図である。
【図３】シャーシ１１を示す斜視図である。
【図４】板金フレーム１５の構成を示す斜視図である。
【図５】画像読取部１０の内部構成を示す斜視図である。
【符号の説明】
【００４５】
１  デジタル複合機
１０  画像読取部
１１  シャーシ
１２，１９  プラテンガラス
１３  読取光学系
１７  シャフト
１５  板金フレーム
１１８，１１９，１５８，１５９  突起
１３１  フルレートキャリッジ
１３２  ハーフレートキャリッジ
１３３  スキャナユニット
１５１，１５３  ガイドレール
１５１Ｒ，１５３Ｒ  レール面
【図１】
2007212810.tif 000003
【図２】
2007212810.tif 000004
【図３】
2007212810.tif 000005
【図４】
2007212810.tif 000006
【図５】
2007212810.tif 000007